(57)【特許請求の範囲】
【請求項１】
複数の軽量型鋼を間隔をおいて立設し、前記軽量型鋼を挟むように壁材を設けてなる軽量間仕切壁に配線ボックスを設置するため、前記軽量型鋼に取り付けられるボックス固定具であって、
前記軽量型鋼の側面への取付部と、
前記取付部から延設され、前記配線ボックスが固定される固定片とを有し、
前記取付部が前記軽量型鋼の側面に取り付けられた状態において、前記固定片は前記軽量型鋼の立設方向に対して直交する方向へ前記壁材の壁面に沿って延びるように前記取付部から延設され、さらに、前記軽量型鋼の側面に対する前記取付部の当接面から固定片の先端までの該固定片の延設方向に沿った長さが、隣り合う軽量型鋼間のピッチの半分と略同一に設定されているとともに、固定片は該固定片の先端側を切断可能とする切断部を有し、前記延設方向に沿った前記切断部から固定片の先端までの長さが軽量型鋼にて立設方向に対して直交する方向で且つ前記壁材の壁面に沿う方向への長さと略同一に設定されているボックス固定具。
【請求項２】
前記切断部は、固定片を厚み方向へ貫通してなるスリットより形成されている請求項１に記載のボックス固定具。
【請求項３】
前記スリットは、前記固定片の延設方向に対し直交する方向へ延びる細長状に形成されている請求項２に記載のボックス固定具。
【請求項４】
前記軽量型鋼は、立設方向に対して直交する方向への平断面視がＣ字状をなすＣ型鋼であり、前記取付部は前記Ｃ型鋼の開口部から内側へ挿入可能に形成されている請求項１〜請求項３のうちいずれか一項に記載のボックス固定具。
【発明の詳細な説明】
【技術分野】
【０００１】
本発明は、軽量間仕切壁に配線ボックスを設置するため、軽量型鋼に取り付けられるボックス固定具に関する。
【背景技術】
【０００２】
軽量間仕切壁は、所定間隔をおいて立設された複数の軽量型鋼の両側から該軽量型鋼を挟むように壁材が設けられて形成されるものである。この軽量間仕切壁に配線ボックスを設置する場合には、前記軽量型鋼に取り付けられるボックス固定具が用いられている（例えば、特許文献１参照。）。図５に示すように、特許文献１に開示のボックス固定具５０は、一対の固定具単体５１，５２とを備え、一方の固定具単体５１の内側に他方の固定具単体５２が嵌合されて一体に組み付けられている。そして、固定具単体５１，５２は、相互にスライド可能であり、ボックス固定具５０の全長を自在に調整可能となっている。また、各固定具単体５１，５２は、ボックス取付面５１ａ，５２ａを有しているとともに、該ボックス取付面５１ａ，５２ａには、固定具単体５１，５２の長さ方向に沿って多数のスリット５１ｂ，５２ｂが断続的に形成されている。隣り合うスリット５１ｂ，５２ｂの間には連結部５１ｃ，５２ｃが形成されており、該スリット５１ｂ，５２ｂによる固定具単体５１，５２の強度の低下が防止されている。また、固定具単体５１，５２における長さ方向のそれぞれの一端部には、固定具単体５１，５２を軽量型鋼６０へ取り付けるための取付板部５３，５４が設けられている。
【０００３】
そして、上記ボックス固定具５０を用いて軽量間仕切壁に配線ボックス６５を設置するには、まず、一対の固定具単体５１，５２を相互にスライドさせ、隣り合う軽量型鋼６０間の全てに亘ってボックス固定具５０が介装されるようにボックス固定具５０の全長を調整する。次いで、一方の固定具単体５１の取付板部５３をタッピンねじ５５によって一方の軽量型鋼６０に固定するとともに、他方の固定具単体５２の取付板部５４をタッピンねじ５５によって他方の軽量型鋼６０に固定し、ボックス固定具５０を一対の軽量型鋼６０に取り付ける。そして、ボックス取付面５１ａ，５２ａの所定位置に、配線ボックス６５の底壁を当接させ、配線ボックス６５の底壁を貫通させたボックス取付用タッピンねじ６１をスリット５１ｂ，５２ｂに螺合することにより、配線ボックス６５がボックス固定具５０に固定される。その後、軽量型鋼６０を挟むように壁材（図示せず）が立設されて軽量間仕切壁が構築されるとともに、該軽量間仕切壁に配線ボックスが設置される。
【特許文献１】特開平１０−２１９８８７号公報
【発明の開示】
【発明が解決しようとする課題】
【０００４】
ところが、特許文献１に開示のボックス固定具５０は、一対の固定具単体５１，５２を重ねて組み付けられている。そして、ボックス固定具５０の全長の調整は、固定具単体５１，５２を相互にスライドさせることで行われている。このため、固定具単体５１，５２をスライドさせたとき、スリット５１ｂ，５２ｂと、連結部５１ｃ，５２ｃとが重なり合う場合が生じる。したがって、スリット５１ｂ，５２ｂと連結部５１ｃ，５２ｃとが重なり合った位置にはタッピンねじ５５を螺合することができず、長さ調整を行ったボックス固定具５０に配線ボックス６５を固定することができない場合が生じる。また、ボックス固定具５０の長さ調整を可能とするため、固定具単体５１と固定具単体５２とを重なり合わせているため、ボックス固定具５０の厚みが増してしまう。このため、壁材間の間隔が狭い軽量間仕切壁には、ボックス固定具５０を用いて配線ボックス６５を設置することができないという問題があった。
【０００５】
本発明は、前記従来の問題に鑑みてなされたものであって、その目的は、隣り合う軽量型鋼間のピッチに合わせて長さ調整を行った場合に配線ボックスの固定が不可能になることを無くすことができるとともに、一対の部材を組み付けてなるボックス固定具に比して厚みを薄くすることができるボックス固定具を提供することにある。
【課題を解決するための手段】
【０００６】
上記問題点を解決するために、請求項１に記載の発明は、複数の軽量型鋼を間隔をおいて立設し、前記軽量型鋼を挟むように壁材を設けてなる軽量間仕切壁に配線ボックスを設置するため、前記軽量型鋼に取り付けられるボックス固定具であって、前記軽量型鋼の側面への取付部と、前記取付部から延設され、前記配線ボックスが固定される固定片とを有し、前記取付部が前記軽量型鋼の側面に取り付けられた状態において、前記固定片は前記軽量型鋼の立設方向に対して直交する方向へ前記壁材の壁面に沿って延びるように前記取付部から延設され、さらに、前記軽量型鋼の側面に対する前記取付部の当接面から固定片の先端までの該固定片の延設方向に沿った長さが、隣り合う軽量型鋼間のピッチの半分と略同一に設定されているとともに、固定片は該固定片の先端側を切断可能とする切断部を有し、前記延設方向に沿った前記切断部から固定片の先端までの長さが軽量型鋼にて立設方向に対して直交する方向で且つ前記壁材の壁面に沿う方向への長さと略同一に設定されていることを要旨とする。
【０００７】
請求項１に記載の発明によれば、ボックス固定具において、軽量型鋼の側面に対する取付部の当接面から固定片の先端までの長さは、隣り合う軽量型鋼のピッチの半分と略同一である。このため、隣り合う軽量型鋼の相対向する側面であり、軽量間仕切壁の内側へ臨む側面それぞれにボックス固定具の取付部を取り付けると、両ボックス固定具の固定片の先端側が互いに重なり合う状態となる。ここで、固定片には切断部が形成され、固定片の延設方向に沿った前記切断部から固定片の先端までの長さが、前記軽量型鋼にて立設方向に対して直交する方向への長さと略同一に設定されている。このため、固定片同士が重なり合った状態では、一方の固定片の先端と、他方の固定片の切断部の位置が合致するようになっている。そして、切断部から固定片の先端側を切断し、除去（切除）することによって、固定片の延設方向に沿ったボックス固定具の長さを切断前より短くすることができ、固定片（一対の部材）同士の重なり合いを無くすことができるとともに、両ボックス固定具の先端同士の間にわずかな隙間が形成された状態で隣り合う軽量型鋼の間の全体に亘って一対の固定片が延びるようになる。
【０００８】
また、隣り合う軽量型鋼にて、一方の軽量型鋼の内側に取付部を挿入するとともに、軽量型鋼の側面（内面）にボックス固定具の取付部を取り付けると、前記延設方向に沿ったボックス固定具の軽量型鋼からの突出長さは軽量型鋼にて立設方向に対して直交する方向への長さ分だけ短くなる。そして、延設方向に沿った前記切断部から固定片の先端までの長さが、軽量型鋼にて立設方向に対して直交する方向への長さと略同一である。このため、他方の軽量型鋼の側面にボックス固定具の取付部が取り付けられた状態では、両ボックス固定具が重なり合うことが無くなる。したがって、固定片の延設方向のいずれの位置であっても固定片同士が重なり合うことがなく配線ボックスを固定することが可能となるとともに、固定片同士の重なりによる厚みの増加も無くすことができる。
【０００９】
請求項２に記載の発明は、請求項１に記載のボックス固定具において、前記切断部は、固定片を厚み方向へ貫通してなるスリットより形成されていることを要旨とする。請求項２に記載の発明によれば、切断部は固定片を厚み方向へ貫通するスリットより形成されているため、固定片にてスリットが形成された箇所はその他の箇所より剛性が低下されているとともに、固定片にてスリットよりも先端側と取付部側との連結面積をその他の箇所より小さくすることができる。したがって、スリットによって固定片を容易に折り曲げることが可能となり、固定片の切断を容易に行うことができる。
【００１０】
請求項３に記載の発明は、請求項２に記載のボックス固定具において、前記スリットは、前記固定片の延設方向に対し直交する方向へ延びるよう細長状に形成されていることを要旨とする。請求項３に記載の発明によれば、スリットによって固定片をその延設方向に対して直交する方向に沿って切断することが可能となる。したがって、例えば、切断端部の端縁が延設方向に対して斜めになってしまうことが防止される。
【００１１】
請求項４に記載の発明は、請求項１〜請求項３のうちいずれか一項に記載のボックス固定具において、前記軽量型鋼は、立設方向に対して直交する方向への平断面視がＣ字状をなすＣ型鋼であり、前記取付部は前記Ｃ型鋼の開口部から内側へ挿入可能に形成されていることを要旨とする。請求項４に記載の発明によれば、隣り合うＣ型鋼にて、一方のＣ型鋼の内側に取付部を挿入する作業を容易に行うことができる。
【発明の効果】
【００１２】
本発明によれば、隣り合う軽量型鋼間のピッチに合わせて長さ調整を行った場合に配線ボックスの固定が不可能になることを無くすことができるとともに、一対の部材を組み付けてなるボックス固定具に比して厚みを薄くすることができる。
【発明を実施するための最良の形態】
【００１３】
以下、本発明を具体化したボックス固定具の一実施形態を図１〜図４にしたがって説明する。
まず、軽量間仕切壁Ｗについて説明する。図３（ｂ）及び図４（ｂ）に示すように、軽量間仕切壁Ｗは、複数の軽量型鋼Ｐを所定間隔をおいて立設し、該軽量型鋼Ｐを挟むように一対の壁材Ｗａを相対向して設置することにより構築される。なお、前記壁材Ｗａは、一般的に使用される石膏ボードよりなり、相対向する長辺（１８２０ｍｍ）と、相対向する短辺（９１０ｍｍ）とから矩形状をなすとともに、前記長辺が上下方向へ延びる状態で設置される。そして、前記軽量間仕切壁Ｗは、相対向する壁材Ｗａの間に３本の軽量型鋼Ｐが立設されるように、すなわち、２本の軽量型鋼Ｐの中央に１本の軽量型鋼Ｐが立設されて構築され（図３及び図４では２本の軽量型鋼Ｐのみ図示）、隣り合う軽量型鋼Ｐ間の間隔は等間隔であるとともに所定間隔に設定されている。なお、隣り合う軽量型鋼Ｐの中心軸Ｌ間の長さをピッチ（４５５ｍｍ）とし、隣り合う軽量型鋼Ｐ間の所定間隔を前記ピッチとする。本願における軽量型鋼Ｐ間のピッチは、上述した３本の軽量型鋼Ｐを壁材Ｗａで挟むようにして構築される軽量間仕切壁Ｗにおける隣り合う２本の軽量型鋼Ｐ間のピッチ（４５５ｍｍ）のことを言い、本願のボックス固定具１０は、該ピッチを有する軽量間仕切壁Ｗに配線ボックスＢを設置する際に用いられる。なお、本願のボックス固定具１０は、２本の軽量型鋼Ｐの間に等間隔をおいて２本の軽量型鋼Ｐが立設された４本の軽量型鋼Ｐを壁材Ｗａで挟むようにして構築される軽量間仕切壁Ｗに、配線ボックスＢを設置する場合であっても使用することが可能である。この場合は、隣り合う軽量型鋼Ｐの間に１つのボックス固定具１０が配設されることとなる。
【００１４】
前記軽量型鋼Ｐとしては、図４（ｂ）に示すように、薄鋼板からなり、軽量型鋼Ｐの立設方向に対して直交する方向への平断面視が略Ｃ字状をなすＣ型鋼ＰＣと、図３（ｂ）に示すように、前記平断面視が四角枠状をなす角型鋼ＰＤとがある。図４（ｂ）に示すように、前記Ｃ型鋼ＰＣは、該Ｃ型鋼ＰＣの長さ方向（立設方向）に延びる開口部Ｃａと、該開口部Ｃａに相対向する背面板部Ｃｂと、該背面板部Ｃｂを挟む一対の側板部Ｃｃとからなる。Ｃ型鋼ＰＣにおいて、立設方向に対して直交する方向に沿った外形長さのうち、長辺に沿った外形長さをＣ型鋼ＰＣの太さとする。また、前記開口部Ｃａの両側には開口側部Ｃｄが相対向して形成されている。そして、上記構成のＣ型鋼ＰＣは、前記所定間隔をおいて開口部Ｃａが同じ方向に向けられて立設される。すなわち、隣り合うＣ型鋼ＰＣのうち一方（図４では右方）のＣ型鋼ＰＣにおける開口部Ｃａと、他方（図４では左方）のＣ型鋼ＰＣにおける背面板部Ｃｂとは、相対向して配置される。また、各Ｃ型鋼ＰＣにおいて、前記壁材Ｗａが設置される側の一対の側板部Ｃｃは、それぞれ同一平面上に配置される。
【００１５】
一方、図３（ｂ）に示すように、前記角型鋼ＰＤは四角筒状をなし、４つの側板部Ｄｃからなる。そして、上記構成の角型鋼ＰＤは、所定間隔をおいて側板部Ｄｃが相対向するように立設されるとともに、各角型鋼ＰＤにおいて、前記壁材Ｗａが設置される側の一対の側板部Ｄｃは、それぞれ同一平面上に配置される。角型鋼ＰＤにおいて、立設方向に対して直交する方向に沿った外形長さのうち長辺に沿った外形長さを角型鋼ＰＤの太さとし、角型鋼ＰＤの太さは前記Ｃ型鋼ＰＣの太さと同一になっている。なお、上記構成の軽量間仕切壁Ｗに設置される配線ボックスＢは、一面が開口された有底四角箱状に形成されている。
【００１６】
次に、上記軽量間仕切壁Ｗに配線ボックスＢを設置するために、前記軽量型鋼Ｐ（Ｃ型鋼ＰＣ又は角型鋼ＰＤ）に取り付けられるボックス固定具１０について説明する。図２に示すように、ボックス固定具１０は、薄鋼板を折り曲げて細長板状に形成されている。該ボックス固定具１０の一端には矩形板状をなす取付部１１が設けられているとともに、前記取付部１１の一側縁からは細長板状をなす固定片２１が延設されている。前記取付部１１は、Ｃ型鋼ＰＣの開口部Ｃａを通過させてＣ型鋼ＰＣ内に挿入可能に形成されているとともに、取付部１１には複数（本実施形態では８つ）の挿通孔１２が形成されている。
【００１７】
固定片２１は、前記薄鋼板を、取付部１１の板面に対して直交する方向へ延びるように折り曲げることで形成されている。なお、図２（ａ）の矢印Ｙ１に示すように、固定片２１が取付部１１から延びる方向を固定片２１の延設方向とし、図２（ａ）の矢印Ｙ２に示すように、固定片２１において、延設方向に対して直交する方向を固定片２１の幅方向とする。そして、前記ボックス固定具１０において、軽量型鋼Ｐの側面に対する取付部１１の当接面１１ａから固定片２１の先端までの前記延設方向に沿った長さは、３本の軽量型鋼Ｐを立設してなる軽量間仕切壁Ｗにて、隣り合う軽量型鋼Ｐのピッチ（４５５ｍｍ）の半分と略同一に設定されている。なお、略同一とは、前記当接面１１ａから固定片２１の先端までのボックス固定具１０の長さと、軽量型鋼Ｐのピッチの半分と同一である場合は当然のこと、わずかに短い場合も含む。前記固定片２１と取付部１１との間に位置する屈曲部には、取付部１１から固定片２１に跨って補強リブ２２が形成されている。前記固定片２１は、取付部１１側に位置して該取付部１１に対して直交する方向へ延びる延設部２３と、この延設部２３に対して斜めに延び、かつ取付部１１から離れる方向へ延びる段差部２４と、この段差部２４から取付部１１の板面に対して直交する方向へ延びる固定部２５とから構成されている。
【００１８】
前記延設部２３において、前記延設方向に沿った長さは、前記Ｃ型鋼ＰＣ及び角型鋼ＰＤの太さと略同一となっている。なお、略同一とは、延設部２３の延設方向に沿った長さと、Ｃ型鋼ＰＣ及び角型鋼ＰＤの太さとが同一である場合は当然のこと、わずかに短い場合も含む。また、延設部２３において、前記延設方向に沿った長さの半分は、前記軽量型鋼Ｐの太さの半分と略同一となっている。なお、略同一とは、延設部２３の延設方向に沿った長さの半分と、軽量型鋼Ｐの太さの半分とが同一である場合は当然のこと、わずかに短い場合も含む。
【００１９】
前記段差部２４は、前記延設部２３と固定部２５との境界に介在されているとともに、段差部２４と固定部２５に跨って補強リブ２６が形成されている。そして、固定片２１に段差部２４が形成されることにより、固定部２５は延設部２３に比して取付部１１から離れる側へずれた位置、すなわち後退した位置に設けられているとともに、延設部２３と固定部２５が２段に位置している。また、延設部２３から固定部２５への段差部２４の長さは、開口側部Ｃｄの長さと略同一となっている。
【００２０】
前記固定部２５には、固定片２１の延設方向に沿って延びる複数（本実施形態では２つ）の長孔２７が形成されているとともに、各長孔２７は、固定片２１の幅方向への中央に形成されている。そして、各長孔２７は、固定片２１の固定部２５に配線ボックスＢを固定するために、ねじ３１が螺入されるようになっている（図３及び図４参照）。また、固定部２５において、固定片２１の延設方向に延びる側部であり、前記長孔２７を挟んだ一方側を第１側部２５ａとし、他方側を第２側部２５ｂとする。そして、延設方向に隣り合う長孔２７の間には、前記第１側部２５ａと第２側部２５ｂとを連結するように連結部２８が介在されている。なお、以下の説明において、固定片２１の最も先端側に位置する長孔２７を第１長孔２７ａとし、この第１長孔２７ａよりも取付部１１側に隣り合う長孔２７を第２長孔２７ｂとする。そして、固定片２１の延設方向に沿った前記第１長孔２７ａの長さは、該延設方向に沿った第２長孔２７ｂの長さより短くなっている。
【００２１】
固定部２５において、前記連結部２８よりも固定片２１の先端側には、固定片２１の幅方向へ延びる細長状のスリット２９が前記第１長孔２７ａを挟むように形成されている。固定部２５にスリット２９が形成されることにより、固定部２５にてスリット２９が形成されていない箇所に比して剛性が低下し、スリット２９から固定部２５を折り曲げることができ、さらには切断することができるようになっている。そして、本実施形態では、前記スリット２９が、固定片２１の先端側を該固定片２１から切断するための切断部を構成している。図２（ｂ）の２点鎖線によって、固定片２１の幅方向に沿って延びる前記スリット２９の中心線Ｍと、前記幅方向に沿って延びる連結部２８の中心線Ｎとを示している。そして、スリット２９は、その中心線Ｍが、連結部２８の中心線Ｎよりも固定片２１の先端側に位置するように形成されている。また、固定片２１にて、前記延設方向に沿ったスリット２９から固定片２１の先端までの長さは、前記軽量型鋼Ｐの太さと略同一となっている。なお、略同一とは、延設方向に沿ったスリット２９から固定片２１の先端までの長さと、軽量型鋼Ｐの太さとが同一である場合は当然のこと、わずかに短い場合も含む。
【００２２】
そして、図３（ｂ）及び図４（ｂ）に示すように、上記構成のボックス固定具１０は、前記取付部１１の挿通孔１２から前記Ｃ型鋼ＰＣの側面としての背面板部Ｃｂ、又は前記角型鋼ＰＤの側面としての側板部Ｄｃにタッピンねじ３０をねじ込むことにより、該Ｃ型鋼ＰＣ又は角型鋼ＰＤに取り付けることができるようになっている。
【００２３】
次に、軽量型鋼Ｐとしての角型鋼ＰＤにボックス固定具１０を取り付ける方法について説明する。なお、軽量間仕切壁Ｗは３本の角型鋼ＰＤを立設してなるが、図３においては隣り合う２本の角型鋼ＰＤのみを図示する。図３（ａ）及び（ｂ）に示すように、隣り合う角型鋼ＰＤにて、軽量間仕切壁Ｗ内に臨むとともに互いに対向する側面としての側板部Ｄｃの外面には、それぞれボックス固定具１０の取付部１１がタッピンねじ３０によって取り付けられる。なお、各取付部１１は、固定部２５に配線ボックスＢを固定したとき、該配線ボックスＢの開口端が角型鋼ＰＤにて一つの壁材Ｗａが設置される側の側板部Ｄｃと同一平面上に位置するように、側板部Ｄｃへの取付位置が調整して取り付けられる。
【００２４】
この取付状態において、各ボックス固定具１０の固定片２１は、角型鋼ＰＤの立設方向に対して直交する方向へ延びるようになっている。また、壁材Ｗａが設置された後は、固定片２１は壁材Ｗａの壁面に対して平行をなすように該壁面に沿って延びるようになっている。そして、ボックス固定具１０において、側板部Ｄｃに対する取付部１１の当接面１１ａから固定片２１の先端までの延設方向に沿った長さは、隣り合う角型鋼ＰＤ間のピッチの半分（１／２）と略同一になっている。このため、取付部１１が取り付けられた角型鋼ＰＤの側面からの、ボックス固定具１０の固定片２１の延設方向に沿った長さは、前記角型鋼ＰＤ間のピッチの半分（１／２）と略同一になっている。したがって、図３（ａ）に２点鎖線に示すように、隣り合う角型鋼ＰＤにボックス固定具１０が取り付けられた状態では、固定片２１の先端側同士が互いに重なり合う状態となる。このため、ボックス固定具１０の長さ調整が必要となる。
【００２５】
ここで、固定片２１の先端側にて、延設方向に沿ったスリット２９から固定片２１の先端までの長さは、角型鋼ＰＤの太さと略同一になっている。そして、取付部１１が取り付けられた側板部Ｄｃは、角型鋼ＰＤの中心軸Ｌから該角型鋼ＰＤの太さの半分だけ内側にずれた位置にある。このため、両ボックス固定具１０が側板部Ｄｃに取り付けられることによって、互いに重なり合う箇所の長さは、角型鋼ＰＤの太さと略同一となる。そして、延設方向に沿ったスリット２９から固定片２１の先端までの長さは、角型鋼ＰＤの太さと略同一となっているため、一方（図３では右方）の固定片２１の先端は、他方（図３では左方）の固定片２１のスリット２９と合致した位置に配置されている。このため、一方の固定片２１において、スリット２９から固定片２１の先端側を切断し、除去（切除）することにより、固定片２１同士の重なり合いが無くなりボックス固定具１０の長さ調整が完了する。その結果、隣り合う軽量型鋼Ｐの間の全体に亘って固定片２１が延びるとともに、複数（３つ）の長孔２７が配置される。
【００２６】
一方のボックス固定具１０において、固定片２１の先端側を切断し、除去した状態において、固定片２１の切断端部２１ｂは、前記連結部２８よりも固定片２１の先端側に位置している。すなわち、連結部２８は切断されることなく残されたままである。したがって、第２長孔２７ｂを形成する第１側部２５ａと第２側部２５ｂとは連結部２８によって連結されたままの状態が維持され、第２長孔２７ｂは、固定片２１の先端側が連結部２８によって閉鎖された状態が維持される。
【００２７】
次に、軽量型鋼ＰとしてＣ型鋼ＰＣにボックス固定具１０を取り付ける方法について説明する。なお、軽量間仕切壁Ｗは３本のＣ型鋼ＰＣを立設してなるが、図４においては隣り合う２本のＣ型鋼ＰＣのみを図示する。図４（ａ）及び（ｂ）に示すように、隣り合うＣ型鋼ＰＣにて、一方（図４では右方）のＣ型鋼ＰＣの開口部Ｃａから内側に取付部１１側が挿入され、背面板部Ｃｂの内面（側面）に一方のボックス固定具１０の取付部１１がタッピンねじ３０によって取り付けられる。また、他方（図４では左方）のＣ型鋼ＰＣの側面たる背面板部Ｃｂの外面には、他方のボックス固定具１０の取付部１１がタッピンねじ３０によって取り付けられる。なお、前記一方のＣ型鋼ＰＣの背面板部Ｃｂに取付部１１が取り付けられるとき、前記延設部２３が開口側部Ｃｄの端縁に当接するようにする。すると、段差部２４によって、固定部２５が延設部２３より後退しているため、固定部２５は、該固定部２５に配線ボックスＢを固定したとき、該配線ボックスＢの開口端がＣ型鋼ＰＣの側板部Ｃｃと同一平面上に位置する位置に配置されるようになっている。他方のＣ型鋼ＰＣに取り付けられるボックス固定具１０は、固定部２５に配線ボックスＢを固定したとき、該配線ボックスＢの開口端がＣ型鋼ＰＣの側板部Ｃｃと同一平面上に位置するように、側板部Ｃｃへの取付位置が調整して取り付けられる。
【００２８】
この取付状態において、各ボックス固定具１０の固定片２１は、Ｃ型鋼ＰＣの立設方向に対して直交する方向へ延びるようになっている。また、壁材Ｗａが設置された後は、固定片２１は壁材Ｗａの壁面に対して平行をなすように該壁面に沿って延びるようになっている。そして、ボックス固定具１０において、側板部Ｃｃに対する取付部１１の当接面１１ａから固定片２１の先端までの延設方向に沿った長さは、隣り合う軽量型鋼Ｐ間のピッチの半分（１／２）と略同一になっている。さらに、一方のボックス固定具１０は、Ｃ型鋼ＰＣの内側へ挿入された状態でＣ型鋼ＰＣに取り付けられている。ここで、延設方向に沿ったスリット２９から固定片２１の先端までの長さは、Ｃ型鋼ＰＣの太さと略同一になっている。そして、取付部１１が取り付けられた背面板部Ｃｂは、Ｃ型鋼ＰＣの中心軸Ｌから該Ｃ型鋼ＰＣの太さの半分だけ外側にずれた位置にある。このため、一方のボックス固定具１０は、Ｃ型鋼ＰＣの太さの半分だけＣ型鋼ＰＣ側へずれた位置に位置する。このため、一対のボックス固定具１０にて固定片２１の先端同士が重なり合うことなく、かつ、先端同士の間にはわずかな隙間ができる状態となる。したがって、隣り合うＣ型鋼ＰＣにボックス固定具１０が取り付けられた状態では、軽量型鋼Ｐの間の全体に亘って固定片２１が延びるとともに、複数の長孔２７が配置されるようになる。
【００２９】
そして、上述したように角型鋼ＰＤ又はＣ型鋼ＰＣにボックス固定具１０が取り付けられた後、図３及び図４に示すように、配線ボックスＢを設置すべき位置に配置し、配線ボックスＢの底壁を貫通させてねじ３１を対応する長孔２７に螺入する。すると、配線ボックスＢが固定片２１に固定され、ボックス固定具１０を介して配線ボックスＢがＣ型鋼ＰＣ又は角型鋼ＰＤに取り付けられる。その後、Ｃ型鋼ＰＣ又は角型鋼ＰＤを挟むように壁材Ｗａが設置されて軽量間仕切壁Ｗが構築されるとともに、該軽量間仕切壁Ｗに配線ボックスＢが設置される。
【００３０】
上記実施形態によれば、以下のような効果を得ることができる。
（１）ボックス固定具１０において、軽量型鋼Ｐの側面に対する取付部１１の当接面１１ａから固定片２１の先端までの延設方向に沿った長さを、隣り合う軽量型鋼Ｐ間のピッチの半分とした。また、固定片２１にスリット２９を形成するとともに、スリット２９から固定片２１の先端側を切断可能とした。そして、スリット２９から固定片２１の先端までの長さを軽量型鋼Ｐの太さと略同一にした。このため、隣り合う角型鋼ＰＤにて互いに対向する側面（側板部Ｄｃ）に取付部１１を取り付けると、一対のボックス固定具１０の固定片２１同士が互いに重なり合う状態となる。ここで、スリット２９から固定片２１の先端側を切断すると、固定片２１の延設方向への長さを切断前より短くすることができ、固定片２１同士の重なり合いを無くすとともに、隣り合う角型鋼ＰＤの間の全体に亘って固定片２１が延びるようになる。したがって、固定片２１の延設方向のいずれの位置であっても固定片２１同士が重なり合うことがなく配線ボックスＢを固定することが可能となるとともに、固定片２１同士の重なりによる厚みの増加も無くすことができる。
【００３１】
また、隣り合うＣ型鋼ＰＣにて一方のＣ型鋼ＰＣの開口部ＣａからＣ型鋼ＰＣの内側へ挿入し、取付部１１をＣ型鋼ＰＣの背面板部Ｃｂの内面に取り付けることにより、Ｃ型鋼ＰＣの太さ分だけＣ型鋼ＰＣから突出する固定片２１の延設方向への長さを短くすることができる。このため、隣り合うＣ型鋼ＰＣのうち他方のＣ型鋼ＰＣの背面板部Ｃｂの外面に取付部１１が取り付けられた状態では、一方のボックス固定具１０は、他方のボックス固定具１０と重なり合うことが無くなる。したがって、固定片２１の延設方向のいずれの位置であっても固定片２１同士が重なり合うことがなくボックス固定具１０を固定することが可能となるとともに、固定片２１同士の重なりによる厚みの増加も無くすことができる。その結果として、固定片２１同士の重なり合いによって、ねじ３１を固定片２１に螺入できなくなる不具合を無くすことができ、さらに、厚みの増大によって厚みの薄い軽量間仕切壁Ｗに配線ボックスＢが設置できなくなる不具合も無くすことができる。
【００３２】
（２）固定片２１には、該固定片２１の厚み方向へ貫通するスリット２９が形成され、固定片２１にてスリット２９が形成された箇所をその他の箇所より剛性を低下させることができる。このため、スリット２９が形成された箇所から固定片２１を容易に折り曲げ、切断することができる。したがって、固定片２１の先端側を切断、除去し、固定片２１の長さを調整する作業を容易に行うことができる。
【００３３】
（３）スリット２９は固定片２１の延設方向に対して直交する方向へ延びる細長状に形成されている。このため、スリット２９から固定片２１を切断すると、固定片２１の切断端部２１ｂの端縁は、固定片２１の延設方向に対して直交する方向へ延びるようになる。したがって、例えば、切断端部２１ｂの端縁が延設方向に対して斜状に延びることが無くなり、一対のボックス固定具１０が軽量型鋼Ｐに取り付けられた状態において、斜状をなす切断端部２１ｂ同士が重なり合うことも防止することができる。
【００３４】
（４）固定片２１には、該固定片２１を切断するためのスリット２９が予め形成されている。このため、固定片２１にスリット２９が形成されていない場合に比して固定片２１を容易に切断することができ、ボックス固定具１０の長さ調整を容易に行うことができる。
【００３５】
（５）スリット２９を利用して、固定片２１を切断した場合、固定片２１の切断端部２１ｂよりも先端側から固定片２１が除去される。このため、切断端部２１ｂには連結部２８が残存しており、該連結部２８によって第１側部２５ａと第２側部２５ｂ同士が連結された状態が維持され、固定片２１を切断しても切断端部２１ｂにて第２長孔２７ｂが開放されることが防止される。したがって、第１側部２５ａと第２側部２５ｂとが離間してしまい、第２長孔２７ｂにねじ３１を螺合することが不可能となったり、開放された第２長孔２７ｂからねじ３１が抜け出てしまう不具合の発生を防止することができる。
【００３６】
（６）固定片２１には段差部２４が形成され、該段差部２４によって延設部２３と固定部２５に２段に形成されている。そして、Ｃ型鋼ＰＣの内側に取付部１１を挿入してボックス固定具１０を取り付けた場合には、延設部２３をＣ型鋼ＰＣの開口側部Ｃｄに当接させることで固定部２５を延設部２３よりずれた位置に配置することができる。さらに、この固定部２５に配線ボックスＢを固定すると、配線ボックスＢの開口端がＣ型鋼ＰＣの側板部Ｃｃと同一平面上に位置するようになっている。したがって、固定片２１に段差部２４が形成されず、配線ボックスＢの開口端がＣ型鋼ＰＣの側板部Ｃｃと同一平面上に位置するように取付部１１の取付位置を調整する場合に比して、ボックス固定具１０を用いた配線ボックスＢの設置作業を簡単にすることができる。
【００３７】
なお、上記実施形態は以下のように変更してもよい。
○  固定片２１において、段差部２４は形成されていなくてもよい。
○  スリット２９は、固定片２１の延設方向に対して直交する方向へ細長状に延びるように形成されていなくてもよい。
【００３８】
○  スリット２９の代わりに、固定片２１の厚みを薄くすることで切断部を構成したり、固定片２１の幅方向へ多数の丸孔を並設して切断部を構成してもよい。
○  固定片２１に配線ボックスＢを固定するために、長孔２７の代わりに固定片２１に多数の透孔を形成してもよい。また、固定片２１には長孔２７が形成されていなくてもよく、この場合は、固定片２１に、配線ボックスＢの底壁を貫通したねじ３１を強制的に螺入する。
【００３９】
○  配線ボックスＢの底壁にボルトを貫通させ、該ボルトを長孔２７に挿入し、さらに、ボルトにナットを螺合してボルトとナットにより配線ボックスＢを固定片２１（固定部２５）に固定してもよい。
【００４０】
次に、上記実施形態及び別例から把握できる技術的思想について以下に追記する。
（１）前記固定片には、前記延設方向に沿って延び、前記配線ボックスを固定片に固定するための長孔が複数形成されているとともに、前記延設方向に隣り合う長孔同士の間には前記長孔を挟んだ固定片の側部同士を連結する連結部が形成され、前記切断部は前記固定片の切断後の切断端部に前記連結部を残して固定片を除去可能とする位置に形成されている請求項１〜請求項４のうちいずれか一項に記載のボックス固定具。
【００４１】
（２）前記固定片は、段差部を介して２段に形成され、固定片にて前記段差部より先端側は、段差部より取付部側に比して取付部から離れる側へずれているとともに該先端側に配線ボックスを固定可能とする固定部が形成されている請求項１〜請求項４及び技術的思想（１）のうちいずれか一項に記載のボックス固定具。
【図面の簡単な説明】
【００４２】
【図１】ボックス固定具によって角型鋼に配線ボックスを取り付けた状態を示す斜視図。
【図２】（ａ）はボックス固定具を示す斜視図、（ｂ）は固定片を示す部分正面図。
【図３】（ａ）はボックス固定具によって角型鋼に配線ボックスを取り付けた状態を示す正面図、（ｂ）はボックス固定具によって角型鋼に配線ボックスを取り付けた状態を示す平断面図。
【図４】（ａ）はボックス固定具によってＣ型鋼に配線ボックスを取り付けた状態を示す正面図、（ｂ）はボックス固定具によってＣ型鋼に配線ボックスを取り付けた状態を示す平断面図。
【図５】背景技術のボックス固定具を示す正面図。
【符号の説明】
【００４３】
Ｂ…配線ボックス、Ｐ…軽量型鋼、ＰＣ…軽量型鋼としてのＣ型鋼、Ｃａ…Ｃ型鋼の開口部、ＰＤ…軽量型鋼としての角型鋼、Ｗａ…壁材、Ｗ…軽量間仕切壁、１０…ボックス固定具、１１…取付部、１１ａ…当接面、２１…固定片、２９…切断部としてのスリット。
【図１】
0004817366.tif 000002
【図２】
0004817366.tif 000003
【図３】
0004817366.tif 000004
【図４】
0004817366.tif 000005
【図５】
0004817366.tif 000006